(57)【要約】【課題】患者自身の手指の動きから患部を守るため、身体を抑制することは患者に大きな苦痛を強いる。よって、保護用手袋を使用することにより、患部を自身の手指の動きから守ることとなるが、従来の保護用手袋は手指の形状の突出を防ぐことができず、完全な引っ掻き防止とならない上、通気が悪く熱がこもり、患者には新たな苦痛を生じさせることとなった。患者自身の手指の動きから完全に患部を守り、かつ、患者に負担や苦痛を強いない。この２点は両立していなかった。【解決手段】手全体を硬質な球形に納めることにより、指の突出は無く、表面は滑らかな球面となり、患部に接触しても患部に影響を与えない。手袋内では自由に手指を動かすことができるので、使用者は自然な姿勢をとることができる。通気に富んだ構造にすることにより、熱のこもりは無い。よって使用者は硬質球形保護用手袋を装着していてもそれに伴う苦痛は無く、かつ、患部も手指の動きから完全に守ることができる。【選択図】図１
2006116278.tif 000002
【特許請求の範囲】
【請求項１】
手首より指先までの手全体を、容易に変形しない１つの硬質な球形で覆うことができる保護用手袋。
【請求項２】
請求項１の硬質球形保護用手袋本体に布のカバーを配し、それにより手首にて固定することで装着する。
【発明の詳細な説明】
【技術分野】
【０００１】  本発明は皮膚疾患を持つ患者、又は、治療中の絆創膏、カテーテルなど、治療の過程、進行中に、患者が感じるかゆみや、煩わしいという点で、患者自身が自身の手指で患部に触れたり、手指や爪で患部を傷つけるなど、患部の治癒の妨げとならないように、患者の手指を包む保護用手袋に関する。
【背景技術】
【０００２】  従来の保護用手袋で、手首から指先までを凹凸のない袋の中に納めるものの中には、布を二重にし内側に特殊な滑り布を用いることにより、患部をかいても傷付きにくくした物がある（例えば、非特許文献１参照。）。【０００３】  また、手袋を用いらずに、患部を患者自身の手指の動きから保護する方法として、ひもを用いてベッドに手首を固定する方法もある（例えば、非特許文献２参照。）。【０００４】  以下図７、図８により、従来の保護用手袋、手指の動きから患部を保護する方法について説明する。【０００５】  図７は、二重構造の布で構成された保護用手袋を装着した状態の内部を判りやすく表現した図である。二重の布で手全体を包み、外れないように着衣の長袖部分と手袋の手首にあたる部分にてボタンによって留められるようになっている。内側の布は滑りやすい布を採用し、患部を引っ掻いてもその力を吸収してしまうことにより、引っ掻き傷を防止している。【０００６】  図８は患者自身の爪で顔や患部を傷つけたり、カテーテルを抜いたりする恐れがある時に用いる小児看護学上の抑制法である。患部に患者自身の手を届かせない為、ベッドにひもで手首を固定している。【０００７】
【非特許文献１】  梶本  修身（総合医学研究所所長・医師）著、「最新アトピー撃退読本」、マキノ出版、１９９６年１０月１日発行、Ｐ．３４
【非特許文献２】  馬場  一雄編者、「小児看護学」、株式会社医学書院、１９８３年１２月１日発行、Ｐ．２６４〜２６５
【発明の開示】
【発明が解決しようとする課題】
【０００８】  以上に述べた保護用手袋、または患者自身の手指の接触からその患者の患部を保護する方法には次のような欠点があった。【０００９】  布のみで構成された手袋では、指の形状が外部へ突出してしまい、その指の動きによって患部に損傷を与えてしまうという点で、患部を完全に守ることはできなかった。指の動きを封じる為に内側に滑り布を採用し、二重構造にしたとしても、指の形状の突出は防ぐことができなかった。さらに、患者自身が感じるかゆみや煩わしさから、保護用手袋をした状態のまま、手を自身の患部にこすりつけて、患部に損傷を与えてしまっていた。また、患者は保護用手袋を装着することにより手からの体温の逃げ場を失い、手袋内に熱がこもり、その為暑苦しく、不快感を感じていた。その結果、使用者が小児の場合など、手袋の装着を拒否したり、取り去ってしまうことがあった。【００１０】  患部を患者自身の手指から完全に守るため、ベッドにひもで手首を固定する方法では、手全体が外気に触れているので患者の体内に熱がこもるということが無い。しかし、患者には肉体的苦痛、自由を奪われたことに対する精神的苦痛を強いることとなった。【００１１】  本発明はこのような従来の構成が有していた問題を解決しようとするものである。本発明の実行によって、患部を患者自身の手指の動きから完全に守ことができる上、本発明を実行する上において、患者（以下患者または使用者）は肉体的、精神的苦痛を一切伴うことはない。
【課題を解決するための手段】
【００１２】  そして本発明は上記目的を達成するために、手首から指先までを容易に変形しない硬質な球形内に納めることによって、課題を解決したものである。【００１３】  また、第２の解決手段としては、硬質球形保護用手袋本体（以下本体）には通気穴に値する隙間が豊富にもうけられた、通気に優れた形状である。さらに、本体の表裏を覆う布のカバーを配しており、その材質として通気の良いものを採用し構成した。【００１４】  上記第１の課題解決手段による作用は次の通りである。すなわち、手首より指先までを、容易に変形しない硬質な球形で包み込むことにより、球形内には充分な空間が確保され、その空間の中で手指は何物にも疎外されず、自由な動きを取ることができる。よって、使用者に抑制力を与えることは無い。また、硬質球形保護用手袋を装着した状態の外観は図２のように腕の先が球形になる。腕の先が球形となることにより、そのままの状態で使用者が自身の患部に手を触れたとしても、接触面は滑らかな球面なので患部には影響は無い。強くこすりつけたとしても、なめらかな球面の摩擦となるので傷をつけることは無く、患部に負担はかからない。よって、患部の治癒の進行のさまたげとはならない。【００１５】  また、第２の課題解決手段による作用は次の通りである。本体には通気に充分な通気穴となる隙間が豊富にほどこされている。さらに、本体に配される表裏を覆う布のカバーの材質として、通気の良いものを採用することにより、使用者自身の体温がこもるのを防ぐことができる。よって、使用者の肉体的、精神的苦痛を完全に取り除くことができる。さらに、本体に表裏を覆うカバーを配することにより、硬質球形保護用手袋を装着した状態で患部に触れたり、かつ、こすりつけたとしても、カバーがその動きと共にずれ動くので、その力を吸収し、患部への影響を完全に防ぐことができる。これにより、使用者は患部の治癒の為に保護用手袋をしているという抑制を一切感じることなく、自然な姿勢を保ったまま、患部の治癒の経過を過ごすことができる。
【発明の効果】
【００１６】  上述したように、本発明の硬質球形保護用手袋は、使用者への肉体的、精神的苦痛を全く強いることなく、使用者の手指の動きから自身の患部を完全に守ることができる。また、布のカバーを交換すること、洗濯することにより、衛生を保つことができる。
【発明を実施する為の最良の形態】
【００１７】  以下、本発明の実施の形態を図１〜図６に基づいて説明する。
【実施例】
【００１８】  図１は、硬質球形保護用手袋を装着した状態の内部を判りやすく表現した図である。二重になっているカバーの外側１と内側２の間に本体３が組み込まれ、それにより、本体とカバーが一体となる。一体となった硬質球形保護用手袋内に手首から指先まで手全体を挿入し、カバーの手首部分４で、使用者の手首と固定し装着する。硬質球形保護用手袋内には使用者が装着した状態でも手、指が自由に動くことができる、充分な空間５がある。【００１９】  図２は、硬質球形保護用手袋を装着した状態の使用者の外観を簡単に現したものである。手首より先が球形となっている。また、球形は硬質なので手指の形状が突出することはない。【００２０】  図３〜図５で示したように、本体は球形で構成されており、かつ、容易に変形しないものである。本体には通気の為、手指が突出できない程度の大きさの通気穴となる隙間６がもうけられている。【００２１】  図６はカバー外観である。カバー手首部分に設備されたテープ７により、手首に固定することができ、はずれ去ることは無い。カバーの材質は通気に富んだものであり、二重にしても通気を妨げないものである。【００２２】  以下、上記構成の操作を説明する。球形を形作っている本体３は硬質で、容易に変形することは無いものである。図１の通りカバーは二重の構造で、本体は１と２の間に装填し一体となる。その中に使用者は指先から手首までの手全体を挿入する。この時手首部分４で手首に固定することができ、これにより、硬質球形保護用手袋ははずれない。本体、カバー共に通気に富んだものであり、熱のこもりはない。また、手袋を硬質な球形にすることにより手袋内に、使用者の手指の動きを阻害しない程度の充分な空間５がもうけられる。よって使用者には手袋をはめているという感覚を生じさせることが無く、抑制を受けているという心理的圧迫も受けず、治療期間を快適に過ごすことができる。さらに、図２のように手首より先が球形になるので患部に接触しても患部を傷つけることは無い。
【図面の簡単な説明】
【００２３】
【図１】  硬質球形保護用手袋装着時の内部を判りやすく表現した図
【図２】  同手袋装着時の使用者外観図
【図３】  同手袋本体正面図
【図４】  同手袋図３におけるＡ−Ａ線断面図
【図５】  同手袋図３におけるＢ−Ｂ線断面図
【図６】  同手袋のカバー外観図
【図７】  従来の保護用手袋装着時の内部を判りやすく表現した図
【図８】  小児看護学上での抑制方の図
【符号の説明】
【００２４】１  二重構造のカバー外側
２  二重構造のカバー内側
３  硬質球形保護用手袋本体
４  カバー手首部分
７  カバー手首部分固定用テープ
【図１】
2006116278.tif 000003
【図２】
2006116278.tif 000004
【図３】
2006116278.tif 000005
【図４】
2006116278.tif 000006
【図５】
2006116278.tif 000007
【図６】
2006116278.tif 000008
【図７】
2006116278.tif 000009
【図８】
2006116278.tif 000010